(57)【要約】【課題】  複数の筺体を連結する構造において作業性を向上させる。【解決手段】  筺体７Ａ，７Ｂのスタッド９にブラケット１Ａ，１Ｂの取付片３，３をねじ１７によって取り付けることにより、ブラケット１Ａ，１Ｂの取付片３と支持片４とで筐体７Ａ，７Ｂを挟持する。ブラケット１Ａの支持片４とブラケット１Ｂの取付片３を対接させて筺体７Ａに筐体７Ｂを重ね、ブラケット１Ａの連結片５とこれと対接するブラケット１Ｂのベース板２の一端縁２ｂとをねじ１９によって締結する。【選択図】  図７
2008060346.tif 000002
【特許請求の範囲】
【請求項１】
それぞれの筺体に取り付けたブラケットを介して複数の筺体を連結する筺体の連結構造であって、
前記ブラケットは、ベース板と、このベース板の一端に直角に折曲形成され筺体に取り付けられる取付片と、この取付片と共に筺体の厚み方向を挟持するように前記ベース板の他端に直角に折曲形成された支持片と、前記ベース板の他端にベース板の厚み方向にベース板の厚み分だけ位置をずらしてベース板の面方向に延設された連結片とを備え、
前記ベース板に前記連結片が対接する対接部を設け、一方の前記ブラケットの取付片と他方の前記ブラケットの支持片とを当接させ、前記一方のブラケットのベース板の対接部と前記他方のブラケットの連結片とを当接させ、これら対接部と連結片とを締結してなることを特徴とする筺体の連結構造。
【請求項２】
前記ベース板に取り付けられ断面クランク状に形成した脚部材を備え、この脚部材を前記ベース板に前記取付片と支持片との方向に対して向きを反対にして取付け可能としたことを特徴とする請求項１記載の筺体の連結構造。
【請求項３】
前記ベース板に、前記脚部材を前記ベース板の所定の位置に案内し位置決めする案内手段を設けたことを特徴とする請求項２記載の筺体の連結構造。
【発明の詳細な説明】
【技術分野】
【０００１】
本発明は、比較的重量のある筺体を上下方向または横方向に連結して一体化した状態で床等に設置するために使用される筺体の連結構造に関するものである。
【背景技術】
【０００２】
従来のこの種の筺体の連結構造としては、底面にスリット状の凹部が設けられた筺体と、重ねられる２つの筺体のそれぞれの凹部に挿入される二つの折曲部を有する断面コ字状に形成された保持部材とを備え、保持部材の一方の折曲部を重ねられる２つの筺体の間に挿入し、他方の折曲部を重ねられる２つの筺体のうちの下側の筺体の底面にねじ止めすることにより、筺体を重ねてゆくものがある（例えば、特許文献１参照）。
【特許文献１】特開２０００−２８６５７０号公報（段落〔０００８〕〜〔００１１〕、図１）
【発明の開示】
【発明が解決しようとする課題】
【０００３】
上述した従来の筺体の連結構造においては、筺体の底面に次の筺体を取り付けていく構造であるため、既に設置されている筺体の連結枚数に変更があったときには、既に設置されている筺体を傾倒させて追加する筺体を取り付ける必要がある。このため、筺体の外形寸法が大きい場合、筺体の設置スペースが充分に確保されていないと作業性が悪くなっていた。また、筺体の重量が比較的大きく、かつ既に設置されている筺体の連結個数が多い場合は一層作業性が悪くなるという問題があった。さらに、中間に位置する筺体が故障等により取り外す必要が生じた場合には、取り外そうとする筺体より下側にある筺体を一つずつすべて外さなくてはならないため煩わしいという問題があった。
【０００４】
本発明は上記した従来の問題に鑑みなされたものであり、その目的とするところは、作業性を向上させた筺体の連結構造を提供するところにある。
【課題を解決するための手段】
【０００５】
この目的を達成するために、請求項１に係る発明は、それぞれの筺体に取り付けたブラケットを介して複数の筺体を連結する筺体の連結構造であって、前記ブラケットは、ベース板と、このベース板の一端に直角に折曲形成され筺体に取り付けられる取付片と、この取付片と共に筺体の厚み方向を挟持するように前記ベース板の他端に直角に折曲形成された支持片と、前記ベース板の他端にベース板の厚み方向にベース板の厚み分だけ位置をずらしてベース板の面方向に延設された連結片とを備え、前記ベース板に前記連結片が対接する対接部を設け、一方の前記ブラケットの取付片と他方の前記ブラケットの支持片とを当接させ、前記一方のブラケットのベース板の対接部と前記他方のブラケットの連結片とを当接させ、これら対接部と連結片とを締結してなるものである。
【０００６】
請求項２に係る発明は、請求項１に係る発明において、前記ベース板に取り付けられ断面クランク状に形成した脚部材を備え、この脚部材を前記ベース板に前記取付片と支持片との方向に対して向きを反対にして取付可能としたものである。
【０００７】
請求項３に係る発明は、請求項２に係る発明において、前記ベース板に、前記脚部材を前記ベース板の所定の位置に案内し位置決めする案内手段を設けたものである。
【発明の効果】
【０００８】
請求項１に係る発明によれば、ブラケットが取り付けられた各筺体を重ねることにより、互いのブラケットの連結片と対接部とが対接し、これらを締結することにより各筺体を一体化することができる。このため、既に一体化された筺体に新たな筺体を一体化する場合、既に一体化された筺体をそのままの状態として、新たな筺体を既に一体化された筺体の上に重ねていけばよいため、従来のように既に一体化された筺体を傾倒させる必要がなくるから作業性が向上する。また、中間に位置する筺体が故障等により取り外す必要が生じた場合でも、その筺体のみを取り外せるため作業性が向上する。
【０００９】
請求項２に係る発明によれば、脚部材を一種類とすることができるため製造コストを低減することができる。
【００１０】
請求項３に係る発明によれば、ブラケットに対する脚部材の組付作業が容易になる。
【発明を実施するための最良の形態】
【００１１】
以下、本発明の実施の形態を図に基づいて説明する。図１は本発明に係る筺体の連結構造に使用するブラケットを示し、同図（Ａ）は平面図、同図（Ｂ）は正面図、同図（Ｃ）は側面図、同図（Ｄ）は底面図、図２（Ａ）は同じくブラケットを逆さにして上方から見た斜視図、同図（Ｂ）は下方から見た斜視図、図３は同じくブラケットを取り付けた筺体の底面側から見た斜視図、図４は同じくブラケットを取り付けた筺体の上面側から見た斜視図、図５は同じくブラケットを取り付けた筺体の側面図である。
【００１２】
図６は本発明に係る筺体の連結構造において、重ねた筺体を連結したブラケットの結合状態を示す斜視図、図７は同じく重ねた筺体をブラケットを介して連結した状態を示す側面図、図８は同じく脚部材を示し、同図（Ａ）は平面図、同図（Ｂ）は側面図、図９（Ａ）は同じく重ねた筺体を縦置きで使用するときの脚部材とブラケットとの結合状態を示す上方から視た斜視図、同図（Ｂ）は底面側から視た斜視図、図１０は同じく重ねた筺体を縦置きで使用したときの状態を示す側面図である。なお、この図６および図９においては、説明の便宜上、各ブラケット１Ａ，１Ｂが取り付けられた筺体７Ａ，７Ｂは図示を省略している。
【００１３】
図１に全体を符号１で示すブラケットは、ベース板２と、このベース板２の一端に直角に折曲形成され後述する筺体７に取り付けられる一対の取付片３，３と、これら取付片３，３と筺体７の厚みＴよりもやや大きい間隔Ｌだけ離間して対向しベース板２の他端に直角に折曲形成された一対の支持片４，４と、ベース板２の他端で支持片４，４間に設けられベース板２の厚み方向にベース板２の厚みｔ１だけ支持片４側に位置をずらしてベース板２の面方向に延設された連結片５と備えている。
【００１４】
ベース板２の中央部には、長方形の窓２ａが設けられ、連結片５と反対側の端部には、後述するように二つのブラケット１Ａ，１Ｂを連結する際に、連結片５が対接する対接部２ｂが設けられている。この対接部２ｂには挿通孔２ｃが設けられており、ベース板２の連結片５側の端部には、一対のねじ孔２ｄ，２ｄが螺設されている。各取付片３，３には挿通孔３ａが設けられており、この挿通孔３ａに対応して各支持片４，４には、挿通孔３ａよりも径の大きい孔４ａが設けられ、各支持片４，４の端部で取付片３側の面には凸部４ｂが設けられている。連結片５には、二つのブラケット１Ａ，１Ｂを連結する際にベース板２の対接部２ｂに対接させたとき、挿通孔２ｃに対応するねじ孔５ａが螺設されている。
【００１５】
６は後述する脚部材１０を案内するとともに位置決めする案内手段であって、ベース板２に窓２ａを覆うように突設されており、両側部６ａ，６ａとこれら両側部６ａ，６ａを連結する連結部６ｂとによって断面コ字状に形成され、ベース板２との間に案内部６ｃが形成されている。この案内部６ｃの幅Ｗ１は、脚部材１０の舌片１５の幅Ｗ２（図８参照）よりもわずかに大きく形成され、案内部６ｃのベース板２からの高さＴ２は、脚部材１０の厚みｔ２よりもわずかに大きく形成されている。また、この案内手段６の両側部６ａ，６ａの４つの端縁６ｄ（図２（Ａ）参照）は、後述するように脚部材１０の舌片１５を案内部６ｃに挿入した際に、脚部材１０の溝１４の底部１４ｂが係合することにより、脚部材１０の位置を決める位置決め手段として機能する。
【００１６】
図５において、７は扁平な直方体状に形成された筺体であって、底部の四隅にそれぞれに脚部８が突設されており、底部の両端部のそれぞれには、２個のスタッド９，９が突設されている。これらスタッド９には、ブラケット１の取付片３の挿通孔３ａを挿通させたねじ１７を螺合することにより取付片３が取り付けられ、この取付片３と支持片４の凸部４ｂとによって筺体７の厚み方向を挟持するようにしてブラケット１が筺体７に取り付けられる。
【００１７】
図８に全体を符号１０で示す脚部材は、筺体７を支承する支承板１１と床に載置される載置板１２とこれらを連結する段部１３とによって断面クランク状に形成されている。支承板１１には、一端に開口１４ａを有する一対の溝１４，１４が設けられており、これら溝１４，１４に挟まれた部位に舌片１５が形成されている。この舌片１５の端部の中央には、矩形状の切欠き１５ａが設けられており、この切欠き１５ａを挟むように一対の挿通孔１５ｂ，１５ｂが設けられている。１１ａ，１１ａは、挿通孔１５ｂ，１５ｂに対応するように支承板１１の他端縁に設けられた挿通孔である。
【００１８】
このような構成において、脚部材１０の舌片１５を図２（Ａ）中矢印Ａ方向からブラケット１の案内部６ｃに挿入した場合は、溝１４の底部１４ｂが案内部材６の端縁６ｄに係合することにより、舌片１５の切欠き１５ａがブラケット１の挿通孔２ｃに対応するとともに、支承板１１の挿通孔１１ａ，１１ａがブラケット１のねじ孔２ｄ，２ｄに対応する。一方、脚部材１０の舌片１５を図２（Ａ）中矢印Ｂ方向からブラケット１の案内部６ｃに挿入した場合は、溝１４の底部１４ｂが案内部材６の端縁６ｄに係合することにより、舌片１５の挿通孔１５ｂ，１５ｂがブラケット１のねじ孔２ｄ，２ｄに対応する。
【００１９】
すなわち、支承板１１の挿通孔１１ａ，１１ａと、舌片１５の挿通孔１５ｂ，１５ｂとは、舌片１５を図２（Ａ）中矢印Ａ方向からブラケット１の案内部６ｃに挿入した場合と、舌片１５を図２（Ａ）中矢印Ｂ方向からブラケット１の案内部６ｃに挿入した場合とにおいて、ブラケット１のねじ孔２ｄ，２ｄに選択的に対応するように構成されている。換言すれば、一種類の脚部材１０をブラケット１に対して矢印Ａ−Ｂ方向、すなわちブラケット１の取付片３と支持片４との方向において向きを変えて取り付けられるように構成されている。
【００２０】
次に、図３ないし図７を用いて、このように構成された筺体の連結構造において、先ず筺体を床の上に横置きの状態、すなわち筺体の厚み方向が上下方向となるように連結する作業について説明する。図５に示すように、ブラケット１の取付片３を筺体７のスタッド９に対接させるとともに、支持片４の凸部４ｂを筺体７の表面に対接させることにより、取付片３と支持片４とでき筺体７の厚み方向を挟持させる。取付片３の挿通孔３ａを挿通させたねじ１７をスタッド９に螺合させることにより、ブラケット１を筺体７に取り付ける。同様に、ブラケット１を筺体７の反対側にも取り付ける。
【００２１】
なお、図７において、符号１Ａ，１Ｂで示すものは上述したブラケット１と同一のものであり、符号７Ａ，７Ｂで示すものは上述した筺体７と同一のものであり、筺体７Ａに取り付けられるブラケットに便宜上符号１Ａを付し、筺体７Ｂに取り付けられるブラケットに便宜上符号１Ｂを付している。
【００２２】
同図に示すように、２つのブラケット１Ａ，１Ａを取り付けた筺体７Ａの脚部８を床１８上に載置する。次いで、筺体７Ａと同様にブラケット１Ｂ，１Ｂを取り付けた筺体７Ｂを筺体７Ａ上に載置し、図６に示すようにブラケット１Ａの支持片４にブラケット１Ｂの取付片３を対接させる。このとき、取付片３を筺体７Ａのスタッド９に取り付けるねじ１７がブラケット１Ａの支持片４の孔４ａに対応するため、ねじ１７が支持片４に干渉することはない。また、ブラケット１Ａの連結片５にブラケット１Ｂのベース板２の対接部２ｂを対接させる。この状態で、図７に示すようにねじ１９をブラケット１Ｂのベース板２の挿通孔２ｂに挿通させ、ブラケット１Ａの連結板５のねじ孔５ａに螺合させることにより、ブラケット１Ａ，１Ｂが連結され、筺体７Ａ，７Ｂの連結作業が終了する。
【００２３】
このように、筺体７にブラケット１を取り付ける作業と筺体７Ａ，７Ｂを連結して一体化する作業とを、いずれも筺体７，７Ａ，７Ｂを上下に反転させたり、傾倒させたりすることなく行うことができる。このため、筺体の外形寸法が大きい場合や、筺体の重量が比較的大きい場合でも作業性が悪くなるようなことがない。また、３つ以上の筺体７を連結する場合も、２つの筺体７Ａ，７Ｂを連結する場合と同様に、既に一体化した２つの筺体７Ａ，７Ｂを傾倒させたりすることなく、これらの筺体７Ａ，７Ｂ上に３つ目の筺体を載置した状態で一体化することができる。このため、仮に既に設置されている筺体の連結数が多い場合でも従来と比較して一層作業性が向上する。
【００２４】
次に、図７ないし図１０を用いて、筺体を床の上に縦置きの状態、すなわち筺体の長手方向が上下方向となるように連結する作業について説明する。この場合は、先ず、上記した横置きで重ねる場合と同様に、図７で示すようにブラケット１Ａ，１Ｂによって２つの筺体７Ａ，７Ｂを一体化する。
【００２５】
なお、図９において、符号１０Ａ，１０Ｂで示すものは上述した脚部材１０と同一のものであり、ブラケット１Ａに取り付けられる脚部材に便宜上符号１０Ａを付し、ブラケット１Ｂに取り付けられる脚部材に便宜上符号１０Ｂを付している。
【００２６】
次いで、同図（Ａ）に示すように、一方の脚部材１０Ａの舌片１５を、一方のブラケット１Ａの案内部６ｃに矢印Ｂ方向から挿入し、一方の脚部材１０Ａの溝１４の底部１４ｂを案内部材６の端縁６ｄに係合させる。この状態で、舌片１５の挿通孔１５ｂ，１５ｂがブラケット１のねじ孔２ｄ，２ｄに対応するので、ねじ２０Ａ（図１０参照）を挿通孔１５ｂから挿通させ、ねじ孔２ｄに螺合させることにより、一方の脚部材１０Ａを一方のブラケット１Ａに取り付ける。
【００２７】
一方、脚部材１０Ｂの舌片１５を、他方のブラケット１Ａの案内部６ｃに矢印Ａ方向から挿入し、溝１４の底部１４ｂが案内部材６の端縁６ｄに係合させる。この状態で、舌片１５の切欠き１５ａがブラケット１のねじ孔５ａに対応するとともに、支承板１１の挿通孔１１ａ，１１ａがブラケット１のねじ孔２ｄ，２ｄに対応するので、ねじ２０Ｂ（図１０参照）を挿通孔１１ａから挿通させ、ねじ孔２ｄに螺合させることにより、他方の脚部材１０Ｂを一方のブラケット１Ｂに取り付ける。
【００２８】
このように取り付けられた脚部材１０Ａ，１０Ｂの載置板１２，１２を、図１０に示すように床１８に対接させることにより、これら脚部材１０Ａ，１０Ｂを介して筺体７Ａ，７Ｂが縦置きの状態で床１８に載置される。このように、同一種類の脚部材１０Ａ，１０Ｂを矢印Ａ−Ｂ方向において向きを変えてブラケット１Ａ，１Ｂに取り付けることができることにより、脚部材１０が一種類で済むから製造コストを低減することができる。
【００２９】
また、舌片１５が案内部６ｃに案内される脚部材１０の溝１４の底部１４ｂが案内部材６の端縁６ｄに係合することにより、舌片１５の挿通孔１５ｂ，１５ｂまたは支承板１１の挿通孔１１ａ，１１ａがブラケット１のねじ孔２ｄ，２ｄに対応して位置決めされる。このため、ねじ２０Ａ，２０Ｂによるブラケット１に対する脚部材１０の組付作業が容易になる。
【００３０】
ここで、３つ以上の筺体７を重ねて縦置きで使用する場合は、筺体７と同じ数のブラケット１を介して筺体７を一体化し、これら複数のブラケット１のうち、両側に位置する２つのブラケット１，１のそれぞれに脚部材１０を取り付ける。この場合も、複数の筺体を互いに接近させた状態で一体化することができるため筺体の設置スペースを最小とすることが可能となる。
【図面の簡単な説明】
【００３１】
【図１】本発明に係る筺体の連結構造に使用するブラケットを示し、同図（Ａ）は平面図、同図（Ｂ）は正面図、同図（Ｃ）は側面図、同図（Ｄ）は底面図である。
【図２】同図（Ａ）は本発明に係る筺体の連結構造に使用するブラケットを逆さにして上方から見た斜視図、同図（Ｂ）は下方から見た斜視図である。
【図３】本発明に係る筺体の連結構造に使用するブラケットを取り付けた筺体の底面側から見た斜視図である。
【図４】本発明に係る筺体の連結構造に使用するブラケットを取り付けた筺体の上面側から見た斜視図である。
【図５】本発明に係る筺体の連結構造に使用するブラケットを取り付けた筺体の側面図である。
【図６】本発明に係る筺体の連結構造において、重ねた筺体を連結したブラケットの結合状態を示す斜視図である。
【図７】本発明に係る筺体の連結構造において、重ねた筺体をブラケットを介して連結した状態を示す側面図である。
【図８】本発明に係る筺体の連結構造において、脚部材を示し、同図（Ａ）は平面図、同図（Ｂ）は側面図である。
【図９】同図（Ａ）は本発明に係る筺体の連結構造において、重ねた筺体を縦置きで使用するときの脚部材とブラケットとの結合状態を示す上方から視た斜視図、同図（Ｂ）は底面側から視た斜視図である。
【図１０】本発明に係る筺体の連結構造において、重ねた筺体を縦置きで使用したときの状態を示す側面図である。
【符号の説明】
【００３２】
１，１Ａ，１Ｂ…ブラケット、２…ベース板、２ｄ…ねじ孔、３…取付片、４…支持片、５…連結片、５ａ…ねじ孔、６…案内手段、６ｃ…案内部、７，７Ａ，７Ｂ…筺体、１０，１０Ａ，１０Ｂ…脚部材、１１…支承板、１１ａ，１５ｂ…挿通孔、１４…溝、１４ｂ…底部、１５…舌片。
【図１】
2008060346.tif 000003
【図２】
2008060346.tif 000004
【図３】
2008060346.tif 000005
【図４】
2008060346.tif 000006
【図５】
2008060346.tif 000007
【図６】
2008060346.tif 000008
【図７】
2008060346.tif 000009
【図８】
2008060346.tif 000010
【図９】
2008060346.tif 000011
【図１０】
2008060346.tif 000012